(57)【要約】【課題】  電源回路の変圧器の二次側に接続される制御用マイコン電源ライン及び信号系電源ラインのいずれか一方に短絡を生じた場合に他方の電源ラインによって短絡を検出できるとともに、制御用マイコンの誤動作を防ぐこともできる電源回路を提供することである。【解決手段】  電源回路３０の変圧器２５の二次側に、制御用マイコンの動作電圧を供給するための制御用マイコン電源ライン１１及び電気機器の信号系の電圧を供給するための信号系電源ライン１５を設ける。  制御用マイコン電源ライン１１を第一の検出回路２１によりフォトカプラ１２と接続する。信号系電源ライン１５を第二の検出回路２２によりフォトカプラ１２と接続する。第二の検出回路２２に、所定の逆方向の耐電圧を有する電圧固定用ツエナーダイオード１８を接続する。【選択図】  図１
2005237091.tif 000002
【特許請求の範囲】
【請求項１】
制御用マイコンにより制御される電気機器に設けられる電源回路であって、
一次側入力端子と第一の二次側出力端子と第二の二次側出力端子とを備え、前記制御用マイコンの動作電圧を供給するための制御用マイコン電源ラインが前記第一の二次側出力端子に接続されるとともに、前記電気機器における各種の信号電圧を供給するための信号系電源ラインが前記第二の二次側出力端子に接続された変圧器と、
前記制御用マイコン電源ラインの電圧状態及び前記信号系電源ラインの電圧状態を検出して前記変圧器の一次側にフィードバックするためのフォトカプラが接続された検出回路とを備え、
前記検出回路は、前記制御用マイコン電源ラインに接続された第一の検出回路と前記信号系電源ラインに接続された第二の検出回路とを有してなり、
前記第一の検出回路には第一のダイオードと前記フォトカプラのフォトダイオードが接続され、前記第一のダイオードのアノードが制御用マイコン電源ライン側となり、前記第一のダイオードのカソードが前記フォトダイオードのアノード側となるように接続されており、
前記第二の検出回路には第二のダイオードと電圧固定用ツエナーダイオードとが接続され、前記第二のダイオードのアノードが信号系電源ライン側となり、前記第二のダイオードのカソードがフォトカプラのフォトダイオードのアノード側となるように接続されるとともに、前記電圧固定用ツエナーダイオードのカソードが前記第二のダイオードのアノードと接続され、前記電圧固定用ツエナーダイオードのアノードは接地されており、
前記電圧固定用ツエナーダイオードとして、その逆方向の耐電圧が、前記第二のダイオードの電圧降下による電圧と前記制御用マイコン電源ラインに短絡を生じた状態で前記フォトダイオードを動作させるべく該フォトダイオードのアノードに供給するべき最小電圧とからなる電圧以上であり、前記制御用マイコン電源ラインの正常時の電圧以下の範囲にあるものが設けられており、
前記電圧固定用ツエナーダイオードの逆方向の耐電圧により前記第二のダイオードのアノードに印加される電圧を固定することにより、
当該電源回路が電源オンされてから前記変圧器の二次側の出力が安定するまでの動作の過渡期において、前記制御用マイコン電源ラインの出力により前記フォトカプラを駆動するようにされた電源回路。
【請求項２】
前記フォトカプラのフォトダイオードにはフォトカプラ制御用トランジスタが接続されており、
前記フォトカプラ制御用トランジスタは、そのコレクタ端子が前記フォトダイオードのカソード側となり、そのエミッタ端子が接地側となるように接続されており、
前記フォトカプラ制御用トランジスタがベース端子にオン信号が入力されてオンされると、前記フォトカプラを動作させ得るようにされており、
前記フォトダイオードのアノードに印加するべき最小電圧は、前記フォトカプラを動作させ得るフォトダイオードのアノード及びカソード間の最小電位差と、前記制御用マイコン電源ラインに短絡を生じた状態で前記フォトカプラ制御用トランジスタをオンさせ得るコレクタ端子に印加するべき最小電圧とに基づいて定まる電圧である、請求項１に記載の電源回路。
【請求項３】
前記フォトカプラ制御用トランジスタのエミッタ端子には前記電圧固定用ツエナーダイオード以外の他のツエナーダイオードが接続され、該他のツエナーダイオードのカソードがフォトカプラ制御用トランジスタのエミッタ端子に接続され、他のツエナーダイオードのアノードが接地されており、
前記他のツエナーダイオードとして、その逆方向の耐電圧により、当該電源回路の正常時にフォトカプラ制御用トランジスタをオンさせる電圧をエミッタ端子に印加させ得るものが設けられており、
前記フォトダイオードのアノードに印加するべき最小電圧におけるフォトカプラ制御用トランジスタのコレクタ端子に印加するべき最小電圧は、前記フォトカプラ制御用トランジスタをオンさせ得るコレクタ端子及びエミッタ端子間の最小電位差と前記他のツエナーダイオードのアノード及びカソード間の電圧降下とに基づいて定まる電圧である、請求項２に記載の電源回路。
【発明の詳細な説明】
【技術分野】
【０００１】
本発明は、制御用マイコンによって制御される電気機器に設けられる電源回路に関する。
【背景技術】
【０００２】
電気機器には、該電気機器を動作させる電力を供給するための電源回路が設けられている。そして、電源回路には、一次側入力端子及び二次側出力端子を備える変圧器が設けられている。この変圧器の二次側出力端子として複数の出力端子が設けられており、複数の二次側出力端子より異なる電圧が出力される。
【０００３】
そして、変圧器の二次側出力端子より、電気機器を制御する制御用マイコンに動作電圧が供給され、また電気機器内の各部材を制御するための信号電圧が供給される。
【０００４】
また、変圧器の二次側には、二次側に生じた短絡等の異常を検出して変圧器の一次側にフィードバックするための検出回路が設けられている。この検出回路を設けることで、変圧器の二次側に異常を生じた場合に、一次側へフィードバックして二次側への給電を停止する等、二次側への給電を調整するようにされている。
【０００５】
この検出回路が設けられた電源回路として、二次側出力端子の二つ以上についての異常を検出できるようにしたものがある（例えば、特許文献１参照）。図２は、従来の電源回路７０を示す回路図である。
【０００６】
図２に示される電源回路７０は変圧器５５を備えており、変圧器５５は第一の二次側出力端子５０及び第二の二次側出力端子５４を備えている。第一の二次側出力端子５０には第一の電源ライン５３が接続されており、第二の二次側出力端子５４には第二の電源ライン６６が接続されている。
【０００７】
第一の電源ライン５３は、電気機器を制御する制御用マイコンに動作電圧を供給するための電源ラインである。第二の電源ライン６６は、電気機器の各部材を動作させる信号電圧を供給するための信号系の電源ラインである。
【０００８】
また、電源回路７０において、６１はフォトカプラである。フォトカプラ６１は、電源ライン５３、６６に短絡等の異常を生ずると、変圧器５５の一次側にフィードバックするべく設けられている。
【０００９】
電源ライン５３は、ダイオード６０を介してフォトカプラ６１に接続されている。二次側電源ライン６６は、ダイオード５８を介してフォトカプラ６１に接続されている。
【００１０】
この電源回路７０において、電源ライン５３に短絡を生ずると、フォトカプラ６１は電源ライン６６によって駆動され、電源ライン５３に短絡を生じたことが一次側にフィードバックされる。一方、電源ライン６６に短絡を生ずると、フォトカプラ６１は電源ライン５３によって駆動され、電源ライン６６に短絡を生じたことが一次側にフィードバックされる。
【００１１】
このように、この電源回路７０によると、電源ライン５３、電源ライン６６のいずれか一方に短絡を生じた場合、短絡を生じていない他方の電源ラインによってフォトカプラ６１が駆動され、二次側で短絡を生じたことが一次側にフィードバックされる。
【特許文献１】特開平５−２８４７３８
【発明の開示】
【発明が解決しようとする課題】
【００１２】
しかし、従来の電源回路７０によると、二次側出力端子に本来予定される電圧を出力させることができず、電気機器の誤動作を生ずる場合があった。即ち、二次側出力端子より、制御用マイコンに供給するべき適正な電圧を供給できず、制御用マイコンの誤動作を生ずる場合があった。
【００１３】
そこで、本発明は、二次側出力端子に接続される電源ラインの二つのいずれか一方に短絡を生じた場合に他方の電源ラインによって短絡を検出できるとともに、制御用マイコンの誤動作を防ぐこともできる電源回路を提供することを目的とする。
【課題を解決するための手段】
【００１４】
上記課題を解決するため、本発明は、制御用マイコンにより制御される電気機器に設けられる電源回路であって、
一次側入力端子と第一の二次側出力端子と第二の二次側出力端子とを備え、前記制御用マイコンの動作電圧を供給するための制御用マイコン電源ラインが前記第一の二次側出力端子に接続されるとともに、前記電気機器における各種の信号電圧を供給するための信号系電源ラインが前記第二の二次側出力端子に接続された変圧器と、
前記制御用マイコン電源ラインの電圧状態及び前記信号系電源ラインの電圧状態を検出して前記変圧器の一次側にフィードバックするためのフォトカプラが接続された検出回路とを備え、
前記検出回路は、前記制御用マイコン電源ラインに接続された第一の検出回路と前記信号系電源ラインに接続された第二の検出回路とを有してなり、
前記第一の検出回路には第一のダイオードと前記フォトカプラのフォトダイオードが接続され、前記第一のダイオードのアノードが制御用マイコン電源ライン側となり、前記第一のダイオードのカソードが前記フォトダイオードのアノード側となるように接続されており、
前記第二の検出回路には第二のダイオードと電圧固定用ツエナーダイオードとが接続され、前記第二のダイオードのアノードが信号系電源ライン側となり、前記第二のダイオードのカソードがフォトカプラのフォトダイオードのアノード側となるように接続されるとともに、前記電圧固定用ツエナーダイオードのカソードが前記第二のダイオードのアノードと接続され、前記電圧固定用ツエナーダイオードのアノードは接地されており、
前記電圧固定用ツエナーダイオードとして、その逆方向の耐電圧が、前記第二のダイオードの電圧降下による電圧と前記制御用マイコン電源ラインに短絡を生じた状態で前記フォトダイオードを動作させるべく該フォトダイオードのアノードに供給するべき最小電圧とからなる電圧以上であり、前記制御用マイコン電源ラインの正常時の電圧以下の範囲にあるものが設けられており、
前記電圧固定用ツエナーダイオードの逆方向の耐電圧により前記第二のダイオードのアノードに印加される電圧を固定することにより、
当該電源回路が電源オンされてから前記変圧器の二次側の出力が安定するまでの動作の過渡期において、前記制御用マイコン電源ラインの出力により前記フォトカプラを駆動するようにされた電源回路である（請求項１）。
【００１５】
従来の電源回路のうち、変圧器の二次側の制御用マイコン電源ライン及び信号系電源ラインのいずれか一方で短絡を生じた場合に、他方によりフォトカプラを駆動して前記短絡を検出するようにした電源回路にあっては、制御用マイコンの誤動作を生ずることがあった。
【００１６】
この誤動作の原因を追求したところ、以下のことが判った。電源回路がオンされてから変圧器の二次側の出力が安定するまでの動作の過渡期において、制御用マイコン電源ラインの出力及び信号系電源ラインの出力が安定せず、これらの電源ラインの出力が定常時に予定される電圧と異なる電圧となる場合がある。
【００１７】
これにより、変圧器の二次側の異常を検出するためのフォトカプラが制御用マイコン電源ライン及び信号系電源ラインのいずれにも接続されている場合、前記電源回路の動作の過渡期において、信号系電源ラインの出力によりフォトカプラが駆動される場合がある。
【００１８】
そして、電源回路の動作の過渡期において信号系電源ラインの出力によりフォトカプラが駆動されると、制御用マイコン電源ラインの出力は、制御用マイコンを適正に動作させる動作電圧とならず、動作電圧未満の電圧となることが判った。これにより、制御用マイコンが誤動作することが判った。
【００１９】
本発明の電源回路によると、信号系電源ラインとフォトカプラとを接続する第二の検出回路に前記電圧固定用ツエナーダイオードが接続されている。これにより、電源回路の動作の過渡期において信号系電源ラインの出力によってフォトカプラを駆動することを防ぎ、制御用マイコン電源ラインの出力によってフォトカプラを駆動することができる。
【００２０】
これにより、制御用マイコン電源ラインに制御用マイコンの適正な動作電圧を出力させることができ、制御用マイコンの誤動作を防ぐことができる。
【００２１】
また、前記電源回路において、前記フォトカプラのフォトダイオードにフォトカプラ制御用トランジスタを接続し、
前記フォトカプラ制御用トランジスタを、そのコレクタ端子が前記フォトダイオードのカソード側となり、そのエミッタ端子が接地側となるように接続し、
前記フォトカプラ制御用トランジスタはベース端子にオン信号が入力されてオンされると、前記フォトカプラを動作させ得るようにされており、
前記フォトダイオードのアノードに印加するべき最小電圧を、前記フォトカプラを動作させ得るフォトダイオードのアノード及びカソード間の最小電位差と、前記制御用マイコン電源ラインに短絡を生じた状態で前記フォトカプラ制御用トランジスタをオンさせ得るコレクタ端子に印加するべき最小電圧とに基づいて定まるようにすることができる（請求項２）。
【００２２】
この発明の電源回路によると、前記フォトカプラ制御用トランジスタが設けられており、このフォトカプラ制御用トランジスタを制御することにより、フォトカプラを制御することができる。
【００２３】
また、前記フォトカプラ制御用トランジスタが設けられた電源回路において（請求項２）、前記フォトカプラ制御用トランジスタのエミッタ端子に前記電圧固定用ツエナーダイオード以外の他のツエナーダイオードを接続し、該他のツエナーダイオードのカソードをフォトカプラ制御用トランジスタのエミッタ端子に接続し、他のツエナーダイオードのアノードを接地し、
前記他のツエナーダイオードとして、その逆方向の耐電圧により、当該電源回路の正常時にフォトカプラ制御用トランジスタをオンさせる電圧をエミッタ端子に印加させ得るものが設けられており、
前記フォトダイオードのアノードに印加するべき最小電圧におけるフォトカプラ制御用トランジスタのコレクタ端子に印加するべき最小電圧は、前記フォトカプラ制御用トランジスタをオンさせ得るコレクタ端子及びエミッタ端子間の最小電位差と前記他のツエナーダイオードのアノード及びカソード間の電圧降下とに基づいて定まるようにすることができる（請求項３）。
【００２４】
この発明の電源回路によると、前記他のツエナーダイオードを設けることにより、この他のツエナーダイオードの逆方向の耐電圧をフォトカプラ制御用トランジスタのエミッタ端子にバイアス電圧として供給することができる。
【００２５】
これにより、この電源回路の正常時において、フォトカプラ制御用トランジスタの動作を安定させることができる。
【発明の効果】
【００２６】
本発明の電源回路によると、変圧器の二次側の異常を検出するフォトカプラと信号系電源ラインとを接続する回路に電圧固定用ツエナーダイオードが接続される。
【００２７】
これにより、電源回路が電源オンされた後の動作が安定するまでの過渡期において、信号系電源ラインの出力によってフォトカプラを駆動することを防ぎ、制御用マイコン電源ラインの出力によってフォトカプラを駆動することができる。これにより、制御用マイコン電源ラインに制御用マイコンの適正な動作電圧を出力させることができ、制御用マイコンの誤動作を防ぐことができる。
【発明を実施するための最良の形態】
【００２８】
以下、本発明の実施の形態について、図面を参酌しつつ説明する。図１は、本発明の一実施形態である電源回路３０の回路図である。この電源回路３０は、電気機器の一例である映像受信装置に設けられるものであり、この映像受信装置を動作させる電力を供給するべく設けられる。
【００２９】
また、電源回路３０が設けられる映像受信装置は、制御用マイコンによって動作が制御される。なお、図１には電源回路３０のみ図示されており、映像受信装置の他の部材については図示が省略されている。
【００３０】
電源回路３０は、変圧器２５と制御用マイコン電源ライン１１と信号系電源ライン１５と第一の検出回路２１及び第二の検出回路２２からなる検出回路を備えている。変圧器２５は、一次側入力端子と第一の二次側出力端子１と第二の二次側出力端子５を備えている。なお、変圧器２５の一次側入力端子は図１に図示されていない。
【００３１】
変圧器２５の一次側入力端子には、図１に図示されない交流電源より交流電力が供給される。そして、変圧器２５の一次側入力端子に印加される電力は、図示されない入力制御回路により、後に説明するフォトカプラ１２が出力するフィードバック信号に応じて制御される。
【００３２】
変圧器２５の第一の二次側出力端子１は制御用マイコンを動作させる電圧を出力する。第二の二次側出力端子５は信号系の各回路を動作させる電圧を出力する。変圧器２５の二次側出力端子１、５は、交流電圧のうちダイオード２、６によって正電圧となった周期のみ出力するように制御される。
【００３３】
そして、二次側出力端子１、５の各々には、順方向に接続されるダイオード２、６と接地との間に接続される平滑用コンデンサ３、７とが接続されている。これにより、二次側出力端子１、５の各々は、正電圧を出力する。
【００３４】
第一の二次側出力端子１には、ダイオード２を介して制御用マイコン電源ライン１１が接続されている。この制御用マイコン電源ライン１１の出力端子４は制御用マイコンの動作電圧用端子に接続されており、第一の二次側出力端子１の出力は、制御用マイコン電源ライン１１を通って制御用マイコンに伝達される。正常な動作時には、制御用マイコン電源ライン１１には、第一の二次側出力端子１より制御用マイコンを正常に動作させるための所要の電圧ＶＭが出力される。
【００３５】
第二の二次側出力端子５には、ダイオード６を介して信号系電源ライン１５が接続されている。この信号系電源ライン１５の出力端子１７は信号系の各回路の動作電圧用端子に接続されており、第二の二次側出力端子５の出力は、信号系電源ライン１５を通って信号系の各回路に伝達される。
【００３６】
信号系に接続される回路には、映像信号を処理する回路、チューナを動作させる回路等がある。また、映像受信装置がビデオデッキを搭載するものである場合、ビデオデッキを動作させる回路も信号系に接続される。正常な動作時には、信号系電源ライン１５には、第二の二次側出力端子５より信号系の所要の電圧である電圧ＶＮが出力される（ＶＮ＞ＶＭ）。
【００３７】
第一の検出回路２１及び第二の検出回路２２は、制御用マイコン電源ライン１１の電圧状態及び信号系電源ライン１５の電圧状態を、変圧器２５の一次側にフィードバックするために設けられている。
【００３８】
第一の検出回路２１は、一端が制御用マイコン電源ライン１１に接続されており、他端は接地されている。第一の検出回路２１には、図１に示されるように、抵抗１０、第一のダイオード１９、フォトカプラ１２、フォトカプラ制御用トランジスタ１３及びツエナーダイオード１４が接続されている
第一のダイオード１９は、そのアノードが制御用マイコン電源ライン１１側となるように接続されている。第一のダイオード１９のアノードは、抵抗１０を介して制御用マイコン電源ライン１１に接続されている。また、第一のダイオード１９のカソードは、後に説明するフォトカプラ１２のフォトダイオードのアノードに接続されている。
【００３９】
フォトカプラ１２は、制御用マイコン電源ライン１１の電圧状態及び信号系電源ライン１５の電圧状態を検出し、これら電源ライン１１、１５の電圧状態を変圧器２５の一次側にフィードバックする。
【００４０】
フォトカプラ１２は、フォトダイオードとフォトセンサを備えている。フォトダイオードは電源ライン１１、１５の電圧状態に応じた光量で発光する。フォトセンサは、フォトダイオードの光量に応じた信号を一次側に出力する。このフォトカプラ１２の動作により、変圧器２５の二次側の出力の状態が一次側にフィードバックされる。
【００４１】
フォトカプラ１２は、第一の検出回路２１を介して制御用マイコン電源ライン１１の電圧状態を検出する。また、フォトカプラ１２は、後に説明する第二の検出回路２２を介して信号系電源ライン１５の電圧状態を検出する。
【００４２】
フォトカプラ制御用トランジスタ１３は、フォトカプラ１２を制御するために設けられている。フォトカプラ制御用トランジスタ１３は、ベース端子１３ｂ、コレクタ端子１３ｃ、エミッタ端子１３ｅを備えている。
【００４３】
ベース端子１３ｂは、フォトカプラ制御用トランジスタ１３のオン、オフを制御するための制御信号が入力される。このトランジスタ１３を制御するための制御信号は、図示されない制御用マイコンより出力される。
【００４４】
トランジスタ１３のコレクタ端子１３ｃは、フォトカプラ１２のフォトダイオードのカソードと接続される。トランジスタ１３のエミッタ端子１３ｅは、ツエナーダイオード１４のカソードに接続されている。
【００４５】
トランジスタ１３は、ベース端子１３ｂにオン信号が入力されると、オンされることができる。一方、トランジスタ１３は、ベース端子１３ｂにオン信号が入力されていない状態では、オンされることができない。そして、トランジスタ１３がオンにされている場合に、フォトカプラ１２のフォトダイオードを導通させて、フォトカプラ１２を動作させることができる。
【００４６】
ツエナーダイオード１４は、カソードがトランジスタ１３のエミッタ端子１３ｅに接続され、アノードは接地されている。また、ツエナーダイオード１４のカソードは、抵抗２６及び第三のダイオード１６を介して制御用マイコン電源ライン１１の出力端子４に接続されている。また、ツエナーダイオード１４のカソードは、抵抗２６及び第四のダイオード２０を介して信号系電源ライン１５の出力端子１７に接続されている。
【００４７】
ツエナーダイオード１４のカソードの電圧は、トランジスタ１３のエミッタ端子１３ｅに供給される。そして、電源回路３０が正常に動作している状態で、ツエナーダイオード１４の逆方向の耐電圧がフォトカプラ制御用トランジスタ１３のエミッタ端子１３ｅにバイアス電圧として供給される。
【００４８】
また、ツエナーダイオード１４の逆方向の耐電圧は、電源回路３０の正常動作時において、制御用マイコン電源ライン１１の出力端子４に一定電圧を出力させ、信号系電源ライン１５の出力端子１７に一定電圧を出力させるための基準電圧となる。
【００４９】
ツエナーダイオード１４は、電圧固定用ツエナーダイオード以外の他のツエナーダイオードにあたる。
【００５０】
第三のダイオード１６のアノードは、抵抗２６を介してトランジスタ１３のエミッタ端子１３ｅに接続されている。第三のダイオード１６のカソードは、制御用マイコン電源ライン１１の出力端子４に接続されている。
【００５１】
この第三のダイオード１６は、制御用マイコン電源ライン１１の短絡を検出するために設けられている。制御用マイコン電源ライン１１が短絡すると、ダイオード１６の順方向の導通を生じ、フォトカプラ１２により短絡が検出される。
【００５２】
第四のダイオード２０のアノードは抵抗２６を介してトランジスタ１３のエミッタ端子１３ｅに接続されている。第四のダイオード２０のカソードは、信号系電源ライン１５の出力端子１７に接続されている。
【００５３】
この第四のダイオード２０は、信号系電源ライン１５の短絡を検出するために設けられている。信号系電源ライン１５が短絡すると、ダイオード２０の順方向の導通を生じ、フォトカプラ１２により短絡が検出される。
【００５４】
第二の検出回路２２は、一端が信号系電源ライン１５に接続され、他端がフォトカプラ１２のフォトダイオードのアノードに接続されている。第二の検出回路２２には、図１に示されるように、抵抗８、第二のダイオード９及び電圧固定用ツエナーダイオード１８が接続されている。
【００５５】
第二のダイオード９は、そのアノードが信号系電源ライン１５側となるように接続されている。第二のダイオード９のアノードは、抵抗８を介して信号系電源ライン１５に接続されている。また、第二のダイオード９のカソードは、フォトカプラ１２のフォトダイオードのアノードに接続されている。
【００５６】
電圧固定用ツエナーダイオード１８は、第二の検出回路２２よりフォトカプラ１２のフォトダイオードに印加される電圧を一定の電圧に固定するために設けられている。電圧固定用ツエナーダイオード１８のカソードは、第二のダイオード９のアノード及び抵抗８に接続されている。電圧固定用ツエナーダイオード１８のアノードは接地されている。
【００５７】
そして、この電圧固定用ツエナーダイオード１８を設けることにより、第二のダイオード９のアノード側の電圧を、電圧固定用ツエナーダイオード１８のカソードの電圧と同じ電圧に固定することができる。
【００５８】
この電圧固定用ツエナーダイオード１８は、その逆方向の耐電圧が以下の範囲にあるものが設けられる。電圧固定用ツエナーダイオード１８の逆方向の耐電圧の下限は、第二のダイオード９の順方向電圧降下による電圧と制御用マイコン電源ライン１１に短絡を生じた状態でフォトカプラ１２を動作させるためにフォトダイオードのアノードに印加するべき最小電圧とに基づいて定められる。
【００５９】
また、図１に示される回路では、前記フォトカプラ１２のフォトダイオードのアノードに印加するべき最小電圧は、フォトカプラ１２を動作させ得るフォトダイオードのアノード−カソード間の最小電位差と、トランジスタ１３をオンさせ得るコレクタ−エミッタ間の最小電位差と、ツエナーダイオード１４のカソード−アノード間の電圧降下とに基づいて定まる。
【００６０】
一方、電圧固定用ツエナーダイオード１８の逆方向の耐電圧の上限は、制御用マイコン電源ライン１１の正常時の電圧に基づいて定められる。
【００６１】
次に、電源回路３０に設けられる各素子の組み合わせの具体例について説明する。制御用マイコン電源ライン１１の出力が８Ｖ（ボルト）であり、信号系電源ライン１５の出力が１２Ｖである場合、以下の特性を有する素子を設けることができる。
【００６２】
フォトカプラ１２として、フォトダイオードの順方向電圧降下が１Ｖであるものを設ける。フォトカプラ制御用トランジスタ１３として、エミッタ−コレクタ間に０．２Ｖ以上の電位差を与え、ベース−エミッタ間に０．６５Ｖ以上の電位差を与えるとオンするものを設ける。なお、このトランジスタ１３をオンさせ得るベース−エミッタ間の電位差の最小値には±０．０５Ｖ程度のばらつきがあり、このトランジスタ１３をオンさせ得るベース−エミッタ間の電位差の最小値は０．６Ｖ〜０．７Ｖとなる。
【００６３】
ツエナーダイオード１４として、逆方向の耐電圧が５．６Ｖであり、アノード−カソード間の電圧降下が０．７Ｖであるものを設ける。
【００６４】
抵抗１０を１ＫΩ（キロオーム）とし、抵抗８を３ＫΩとし、抵抗２６を１００Ωとする。第一のダイオード１９、第二のダイオード９、第三のダイオード１６、及び第四のダイオード２０は、いずれもアノード−カソード間の電圧降下が０．６Ｖであるものを設ける。なお、これらのダイオードのアノード−カソード間の電圧降下にはばらつきがあり、この電圧降下は０．５５Ｖ〜０．７Ｖとなる。
【００６５】
電圧固定用ツエナーダイオード１８には、フォトカプラ１２に少なくとも２．６Ｖ以上印加することができ、第二のダイオード９のアノードの電圧を８Ｖ未満に固定できるものを設ける。かかる観点から、電圧固定用ツエナーダイオード１８として、逆方向の耐電圧が３Ｖ以上６Ｖ以下の範囲にあるものを設けるのが好ましい。
【００６６】
なお、前記フォトカプラ１２に２．６Ｖ以上の電圧を印加させ得ることは、制御用マイコン電源ライン１１又は信号系電源ライン１５に短絡を生じた場合でも、フォトカプラ１２を動作させるための条件である。
【００６７】
以上に説明した電源回路３０は、以下のように動作する。電源回路３０が正常に動作している状態で、制御用マイコン電源ライン１１の電圧状態及び信号系電源ライン１５の電圧状態の双方又は一方に変動を生ずると、この変動が生じたことはフォトカプラ１２により検出されるとともに変圧器２５の一次側にフィードバックされる。これにより、変圧器２５の一次側への入力が調整され、変圧器２５の二次側には本来の適正な電圧が出力される。
【００６８】
また、電源回路３０が正常に動作している状態で制御用マイコン電源ライン１１及び信号系電源ライン１５の双方又は一方に短絡を生ずると、フォトカプラ制御用トランジスタ１３のエミッタ端子１３ｅは接地される。
【００６９】
これにより、トランジスタ１３は、より多くの電流を導通させ得る状態となり、フォトカプラ１２を導通する電流が増加する。これにより、変圧器２５の二次側の出力を低下させ、電源回路３０が過熱されることを防ぐことができる。これにより、変圧器２５の二次側で短絡を生じた場合に、発火等の事故を防ぐことができる。
【００７０】
また、電源回路３０が正常に動作している状態で制御用マイコン電源ライン１１に短絡を生じた場合、第二の検出回路２２を介して信号系電源ライン１５の出力によりフォトカプラ１２を駆動し、変圧器２５の二次側の状態を一次側にフィードバックすることができる。
【００７１】
また、電源回路３０が正常に動作している状態で信号系電源ライン１５に短絡を生じた場合、第一の検出回路２１を介して制御用マイコン電源ライン１１の出力によりフォトカプラ１２を駆動し、変圧器２５の二次側の状態を一次側にフィードバックすることができる。
【００７２】
このように、電源回路３０によると、制御用マイコン電源ライン１１及び信号系電源ライン１５のいずれか一方の電源ラインに短絡を生じても、他方の電源ラインによりフォトカプラ１２を駆動し、変圧器２５の二次側の状態を一次側にフィードバックすることができる。
【００７３】
また、電源回路３０によると、前記電圧固定用ツエナーダイオード１８が設けられることにより、電源回路３０が電源オンされた後変圧器２５の二次側の出力が安定するまでの間に、制御用マイコンの誤動作を防ぐことができる。以下の理由による。
【００７４】
電源回路３０が電源オンされてから変圧器２５の二次側の出力が安定するまでの電源回路３０の動作が不安定な過渡期において、第二のダイオード９のアノードの電圧は電圧固定用ツエナーダイオード１８の逆方向の耐電圧を越えることがない。
【００７５】
これにより、電源回路３０の動作の過渡期において、第二のダイオード９のアノードの電圧が第一のダイオード１９のアノードの電圧より大きくなることを防ぐことができる。これにより、信号系電源ライン１５の出力によって干渉されることなく、制御用マイコン電源ライン１１の出力によりフォトカプラ１２を駆動することができる。
【００７６】
これにより、電源回路３０の動作の過渡期において、制御用マイコン電源ライン１１の出力の低下を招くことなく、制御用マイコンの誤動作を防ぐことができる。
【００７７】
ここで、電圧固定用ツエナーダイオード１８が設けられない場合には、電源回路３０の動作の過渡期において、信号系電源ライン１５の出力によりフォトカプラ１２が駆動される場合を生じ得る。そして、フォトカプラ１２が信号系電源ライン１５により駆動されると、制御用マイコン電源ライン１１の出力を適正な電圧とすることができない。
【００７８】
即ち、電源回路３０の動作の初期の過渡期において、フォトカプラ１２が信号系電源ライン１５の出力により駆動されると、信号系電源ライン１５の出力は、第二の検出回路２２とフォトカプラ１２とトランジスタ１３とツエナーダイオード１４とにより吸収される電位差に相当する電圧に誘導される。この信号系電源ライン１５の出力は、信号系の電圧として本来予定される電圧ＶＮ未満となる。
【００７９】
そして、信号系電源ライン１５の出力が本来の電圧ＶＮ未満に誘導されると、制御用マイコン電源ライン１１の出力も本来の電圧ＶＭ未満となる。これにより、制御用マイコン１１には適正な動作電圧が供給されず、制御用マイコンの誤動作を招くことがある。
【００８０】
本発明の電源回路３０によると、電圧固定用ツエナーダイオード１８を設けることにより、電源回路３０の動作の過渡期においても、制御用マイコン電源ライン１１によりフォトカプラ１２を駆動するので、制御用マイコン電源ライン１１の出力の低下を招くことがない。これにより、制御用マイコンの誤動作を防ぐことができる。
【００８１】
なお、以上の説明では、電源回路３０が設けられる電気機器として映像受信装置の例により説明した。本発明にかかる電源回路を設け得る電気機器は映像受信装置に限らない。即ち、本発明の電源回路は、制御用マイコンによって動作が制御される電気機器に設けることができる。
【図面の簡単な説明】
【００８２】
【図１】本発明の一実施形態である電源回路の回路図である。
【図２】従来の電源回路の回路図である。
【符号の説明】
【００８３】
１    第一の二次側出力端子
２、６    整流用ダイオード
３、７    平滑用コンデンサ
４    制御用マイコン電源ラインの出力端子
５    第二の二次側出力端子
９    第二のダイオード
１１    制御用マイコン電源ライン
１２    フォトカプラ
１３    フォトカプラ制御用トランジスタ
１４    ツエナーダイオード
１５    信号系電源ライン
１６    第三のダイオード
１７    信号系電源ラインの出力端子
１８    電圧固定用ツエナーダイオード
１９    第一のダイオード
２０    第四のダイオード
２５    変圧器
３０    電源回路
５０    第一の二次側出力端子（従来の電源回路）
５３    第一の電源ライン
５４    第二の二次側出力端子
５５    変圧器
５８、６０    ダイオード
６１    フォトカプラ
６６    第二の電源ライン
７０    （従来の）電源回路
【図１】
2005237091.tif 000003
【図２】
2005237091.tif 000004